(57)【要約】      （修正有）【課題】より単純化した使用者の操作により、音楽聴取機能及び周辺聴取機能間の選択的な遂行が可能な音楽聴取機能及び周辺聴取機能を持つブルートゥース（登録商標）音響装置を提供する。【解決手段】音楽聴取機能及び周辺聴取機能を持つブルートゥース音響装置は、外部の電子通信機器と通信する通信部と、周辺のサウンドを獲得するマイク部と、音楽又は周辺のサウンドを表出するスピーカー部と、マイクから周辺のサウンドを獲得してスピーカー部に表出する周辺聴取機能及び通信部からの音響ファイルや既格納の音響ファイルを再生してスピーカー部に表出する音楽聴取機能を遂行する制御部とを備える。【選択図】図１
2018011297.tif 000002
【特許請求の範囲】
【請求項１】
外部の電子通信機器と通信する通信部と、
周辺のサウンドを獲得するマイク部と、
音楽又は周辺のサウンドを表出するスピーカー部と、
マイクから周辺のサウンドを獲得してスピーカー部に表出する周辺聴取機能、及び、通信部からの音響ファイルや既格納の音響ファイルを再生してスピーカー部に表出する音楽聴取機能を遂行する制御部とを備えることを特徴とする、音楽聴取機能及び周辺聴取機能を持つブルートゥース音響装置。
【請求項２】
前記制御部は、音楽聴取機能を遂行しながら、マイク部を制御して周辺のサウンドを獲得して分析することを特徴とする、請求項１に記載の音楽聴取機能及び周辺聴取機能を持つブルートゥース音響装置。
【請求項３】
前記制御部は、周辺のサウンドを分析し、分析した周辺のサウンドに危険信号が含まれているかを判断することを特徴とする、請求項２に記載の音楽聴取機能及び周辺聴取機能を持つブルートゥース音響装置。
【請求項４】
前記制御部は、分析した周辺のサウンドに危険信号が含まれている場合、遂行中である音楽聴取機能を中断し、周辺聴取機能を遂行することを特徴とする、請求項３に記載の音楽聴取機能及び周辺聴取機能を持つブルートゥース音響装置。
【請求項５】
前記制御部は、周辺聴取機能を基準時間の間に遂行し、音楽聴取機能に復帰することを特徴とする、請求項４に記載の音楽聴取機能及び周辺聴取機能を持つブルートゥース音響装置。
【請求項６】
ブルートゥース音響装置は、音楽聴取機能選択の入力、周辺聴取機能選択の入力及び自動モード待機状態選択の入力の中で少なくとも一つを制御部に伝達する入力部を備えることを特徴とする、請求項１〜５の何れか１項に記載の音楽聴取機能及び周辺聴取機能を持つブルートゥース音響装置。
【請求項７】
制御部は、自動モード待機状態選択の入力時に、通信部が電子通信機器と通信連結されたかを判断することを特徴とする、請求項６に記載の音楽聴取機能及び周辺聴取機能を持つブルートゥース音響装置。
【請求項８】
制御部は、通信部が電子通信機器と通信連結された場合、電子通信機器から音響ファイルを受信して音楽聴取機能を自動遂行することを特徴とする、請求項７に記載の音楽聴取機能及び周辺聴取機能を持つブルートゥース音響装置。
【発明の詳細な説明】
【技術分野】
【０００１】
本発明は、ブルートゥース(Bluetooth)音響装置に関し、特により単純化した使用者の操作により、音楽聴取機能及び周辺聴取機能間の選択的な遂行が可能であるようにする、音楽聴取機能及び周辺聴取機能を持つブルートゥース音響装置に関する。
【背景技術】
【０００２】
一般に、難聴者は、日常生活での対話が困難になる程に聞こえ難い者、即ち、聴覚障害者であって、難聴の程度によって軽度難聴、中度難聴、中高度難聴及び高度難聴などに分類される。
【０００３】
難聴の種類としては、伝音性難聴、感音性難聴及び混合性難聴があり、外耳道の損傷や、鼓膜の穿孔や、耳小骨の離脱や、外耳炎又は中耳炎による失聴、老人性難聴、先天性難聴、遺伝性難聴、高音による失聴、高熱及び薬物副作用による失聴などの理由のため、骨導及び気導の損傷の程度に基づいて区分している。
【０００４】
従って、このような聴覚に障害がある難聴者は、自然な日常生活が難しいため、難聴の程度を十分に補償可能な補聴器が必要になる。補聴器は、難聴の程度によって話者音や周辺音を増幅させて、難聴者の聞こえの正確性を高め、より自然音に近く聞こえるように補助する装置である。
【０００５】
一般に、補聴器は、話者音や周辺音を収集して電気的な信号に出力する送話器と、送話器から出力された信号を受けて整流及び増幅する増幅器と、増幅器で増幅された信号を音波に変換して難聴者の耳に伝達する受話器及び送話器と、受話器及び増幅器に電力を供給するバッテリーとからなる。このような補聴器の種類としては箱型、耳かけ型、メガネ型及び耳あな型があるが、最近は耳あな型をより発展させたような耳の中に深く挿入可能な鼓膜型が追加された。
【０００６】
従来の補聴器の場合、着用者が補聴器を作動させて周辺聴取機能だけを遂行することができ、音楽聴取機能を提供していない。
【先行技術文献】
【特許文献】
【０００７】
【特許文献１】韓国特許出願第１０−２０１０−００２１１８６号
【発明の概要】
【発明が解決しようとする課題】
【０００８】
本発明の目的は、より単純化した使用者の操作により、音楽聴取機能及び周辺聴取機能間の選択的な遂行が可能であるようにし、音楽聴取機能の遂行中にも危険状況において周辺聴取機能が遂行されるようにする、音楽聴取機能及び周辺聴取機能を持つブルートゥース音響装置を提供することにある。
【課題を解決するための手段】
【０００９】
本発明に係る音楽聴取機能及び周辺聴取機能を持つブルートゥース音響装置は、外部の電子通信機器と通信する通信部と、周辺のサウンドを獲得するマイク部と、音楽又は周辺のサウンドを表出するスピーカー部と、マイクから周辺のサウンドを獲得してスピーカー部に表出する周辺聴取機能、及び、通信部からの音響ファイルや既格納の音響ファイルを再生してスピーカー部に表出する音楽聴取機能を遂行する制御部とを備える。
【００１０】
また、前記制御部は、音楽聴取機能を遂行しながら、マイク部を制御して周辺のサウンドを獲得して分析するのが好ましい。
【００１１】
また、前記制御部は、周辺のサウンドを分析し、分析した周辺のサウンドに危険信号が含まれているかを判断するのが好ましい。
【００１２】
また、前記制御部は、分析した周辺のサウンドに危険信号が含まれている場合、遂行中である音楽聴取機能を中断し、周辺聴取機能を遂行するのが好ましい。
【００１３】
また、前記制御部は、周辺聴取機能を基準時間の間に遂行し、音楽聴取機能に復帰するのが好ましい。
【００１４】
また、ブルートゥース音響装置は、音楽聴取機能選択の入力、周辺聴取機能選択の入力及び自動モード待機状態選択の入力の中で少なくとも一つを制御部に伝達する入力部を備えるのが好ましい。
【００１５】
また、制御部は、自動モード待機状態選択の入力時に、通信部が電子通信機器と通信連結されたかを判断するのが好ましい。
【００１６】
また、制御部は、通信部が電子通信機器と通信連結された場合、電子通信機器から音響ファイルを受信して音楽聴取機能を自動遂行するのが好ましい。
【発明の効果】
【００１７】
本発明は、より単純化した使用者の操作により、音楽聴取機能及び周辺聴取機能間の選択的な遂行が可能であるようにし、音楽聴取機能の遂行中にも危険状況において周辺聴取機能が遂行されるようにする。
【図面の簡単な説明】
【００１８】
【図１】本発明に係る音楽聴取機能及び周辺聴取機能を持つブルートゥース音響装置の構成図である。
【図２】図１の音楽聴取機能及び周辺聴取機能を持つブルートゥース音響装置の斜視図である。
【図３】図１の音楽聴取機能及び周辺聴取機能を持つブルートゥース音響装置の動作順序図である。
【発明を実施するための形態】
【００１９】
以下、図面に基づき、本発明の好適な実施例を詳細に説明する。
【００２０】
図１は、本発明に係る音楽聴取機能及び周辺聴取機能を持つブルートゥース音響装置の構成図である。本発明に係る音楽聴取機能及び周辺聴取機能を持つブルートゥース音響装置は、必要な電源を供給する電源部１と、電源のオン／オフの入力、周辺聴取モード選択の入力、音楽聴取モード選択の入力及び自動モード待機状態の入力を獲得する入力部３と、周辺のサウンド（音声や音響）などを獲得するための第１及び第２のマイク５ａ、５ｂと、電源のオン／オフ状態及び現在遂行中であるモード（又は機能）（周辺聴取モード、音楽聴取モード、自動モード）を表示する表示部７と、音声又は音楽や周辺のサウンドなどを表出するスピーカー９と、外部の電子通信機器（例えば、スマートフォン、パッド、ｐｃ等）と有線及び／又は無線に（例えば、ブルートゥース通信等）通信する通信部１１と、前記の構成要素を制御し、入力部３からの選択／変換の入力によって周辺聴取機能及び音楽聴取機能の一つを遂行し、自動モード待機状態の入力時に電子通信機器との通信連結の可否によって音楽聴取機能を遂行する制御部２０とからなる。ただし、電源部１と、入力部３と、第１及び第２のマイク５ａ、５ｂと、表示部７と、スピーカー９と、通信部１１とは、本発明が属する技術分野における通常の知識を有する者に広く知られた技術に過ぎないので、その詳細な説明は省略する。
【００２１】
まず、音楽聴取モードについて説明する。制御部２０は、入力部３により着用者から音楽聴取モードに対する選択の入力を獲得し、格納の音響（又は音楽）ファイル（例えば、ｍｐ３、ｍｐ４等）を読み込んで格納の再生プログラムを用いて音響電気信号に変換して、スピーカー９に音響電気信号を印加して音響（音楽）を発生させることで、着用者が音響を聴取できるようにする。また、制御部２０は、表示部７により現在音楽聴取モードの遂行中であることを表示する。又は、制御部２０は、通信部１１により外部の電気通信機器から音響ファイルを受信し、格納の再生プログラムを用いて音響電気信号に変換して、スピーカー９に音響電気信号を印加して音響（音楽）を発生させることもできる。
【００２２】
次に、周辺聴取モードについて説明する。制御部２０は、入力部３により着用者から周辺聴取モードに対する選択の入力を獲得し、第１及び第２のマイク５ａ、５ｂの少なくとも一つを動作させて周辺のサウンド（音声や音響）を獲得する。このとき、制御部２０は、表示部７により周辺聴取モードの遂行中であることを表示する。また、制御部２０は、ノイズが除去された周辺のサウンドを増幅したり、既設定の方式により処理したりして、スピーカー９を通じて着用者の聴覚器官に伝達する。
【００２３】
次に、自動モードについて説明する。制御部２０は、入力部３から着用者により入力された自動モード待機状態に対する入力を獲得した後、通信部１１により電子通信機器が通信連結状態であるかを確認する。もし、電子通信機器と通信連結状態である場合、制御部２０は、電子通信機器から音響ファイルを受信し、格納の再生プログラムを用いて音響電気信号に変換して、スピーカー９に音響電気信号を印加して音響（音楽）を発生させる。制御部２０は、一定時間の間に電子通信機器との通信連結状態を確認して、もし、一定時間以内に電子通信機器との通信連結状態でない場合、制御部２０は入力された自動モード待機状態の入力を廃棄して初期状態に復帰する。ここで、初期状態は、着用者（又は使用者）が入力部３により入力（音楽聴取モード選択の入力、周辺聴取モード選択の入力、自動モード待機状態選択の入力等）を遂行すれば、入力を制御部２０に伝達できる状態である。
【００２４】
図２は、図１の音楽聴取機能及び周辺聴取機能を持つブルートゥース音響装置の斜視図である。音楽聴取機能及び周辺聴取機能を持つブルートゥース音響装置は、両端部３０ａ、３０ｂ間に開放部を備え、着用者の首部や肩等のような身体にスムーズに乗せる本体部３０を備える。
【００２５】
入力部３は、本体部３０に形成され、電源オン／オフの入力、又は、周辺聴取モードや音楽聴取モードや自動モード待機状態に対する選択の入力を獲得するための入力部からなる。
【００２６】
第１及び第２のマイク５ａ、５ｂは、周辺のサウンド（音響や音声）を獲得するために、外側に向けるように形成される。
【００２７】
表示部７は、周辺聴取機能や音楽聴取機能の遂行中であることを表示し、例えば、色相（青色、赤色）や点滅を違うように表示できる１個の表示器から構成され得る。
【００２８】
スピーカー９は、本体部３０の両端部３０ａ、３０ｂに各々連結する一対のスピーカーからなり、着用者の耳に挿入したり乗せるようにして、音楽や音声を伝達する。
【００２９】
図３は、図１の音楽聴取機能及び周辺聴取機能を持つブルートゥース音響装置の動作順序図である。ブルートゥース音響装置は、動作開始前に初期状態を維持したり、入力部３の電源オンの入力前に電源オフ状態を維持したりする。
【００３０】
段階（Ｓ１）において、入力部３がモード選択の入力を獲得した場合には段階（Ｓ３）に進行し、そうでない場合には段階（Ｓ１）を維持する。
【００３１】
段階（Ｓ３）において、ブルートゥース音響装置は活性化され、電源部１により電源が必要な構成要素らに全部供給される。例えば、通信部１１が、既設定の方式により有線又は無線に外部の電子通信機器と通信連結を独立的に遂行したり或いは制御部２０の制御により遂行し、表示部７は初期状態又はモード選択の入力が獲得されたことを表示することもできる。また、制御部２０も電源が印加されて活性化される。
【００３２】
段階（Ｓ５）において、制御部２０は、入力部３による入力が自動モード待機状態の入力であるかを確認する。もし、入力部３による入力が自動モード待機状態の入力である場合には段階（Ｓ９）に進行し、そうでない場合には周辺聴取モード選択の入力又は音楽聴取モード選択の入力であるので、段階（Ｓ７）に進行する。
【００３３】
段階（Ｓ７）において、制御部２０は、選択されたモードである周辺聴取モード又は音楽聴取モードを遂行する。
【００３４】
段階（Ｓ９）において、制御部２０は、通信部１１が独立的に電子通信機器と通信連結した状態であるかを確認したり、通信部１１を制御して電子通信機器との通信連結を制御して電子通信機器と通信連結したかを確認する。また、段階（Ｓ９）において、制御部２０は、通信部１１により電子通信機器が有線通信ケーブルを通じて連結したかを確認するのを含む。また、例えば、ブルートゥース通信が適用された場合、制御部２０は、通信部１１と電子通信機器とがペアリング（pairing）されたかを確認する過程を遂行することもできる。制御部２０は、一定時間の間に段階（Ｓ９）を遂行して、もし、電子通信機器と通信連結した状態である場合には段階（Ｓ１１）に進行し、そうでない場合には段階（Ｓ１）に進行して、以前段階（Ｓ１）において入力された自動モード待機状態を廃棄する。
【００３５】
段階（Ｓ１１）において、制御部２０は、自動モードを遂行し、通信部１１により通信連結した電子通信機器から音響ファイルを受信して、スピーカー９を通じて再生する音楽聴取モードを自動遂行する。
【００３６】
段階（Ｓ１３）において、制御部２０は、段階（Ｓ１１）の音楽聴取モードを遂行しながら、第１及び第２のマイク５ａ、５ｂから周辺のサウンドを獲得して分析する。
【００３７】
段階（Ｓ１５）において、制御部２０は、第１及び第２のマイク５ａ、５ｂから獲得した周辺のサウンドから危険信号が感知されたかを判断する。ここで、危険信号とは、インパルス信号と同様に、急激なサイズや急激なサイズの変化を持つ信号を意味する。もし、制御部２０が危険信号を周辺のサウンドから感知した場合には段階（Ｓ１７）に進行し、そうでない場合には段階（Ｓ１１）の音楽聴取モードと、段階（Ｓ１３）の周辺のサウンドの分析とを遂行する。
【００３８】
段階（Ｓ１７）において、制御部２０は、段階（Ｓ１１）の音楽聴取モードを中断し、周辺聴取モードを遂行する。即ち、制御部２０は、第１及び第２のマイク５ａ、５ｂから周辺のサウンドを獲得し、スピーカー９を通じて着用者に音響として提供して、着用者が危険信号を含む周辺のサウンドを直接聞くことができることで、着用者が危険状況を認知できる。
【００３９】
段階（Ｓ１９）において、制御部２０は、段階（Ｓ１７）の周辺聴取モードの遂行時間が基準時間を経過したかを確認する。即ち、制御部２０は、基準時間以内に周辺聴取モードを遂行し、基準時間の経過後に段階（Ｓ１１）の音楽聴取モードに復帰するために段階（Ｓ１９）が遂行される。もし、基準時間が経過された場合には段階（Ｓ１１）に進行し、そうでない場合には基準時間の間に周辺聴取モードを遂行する。
【００４０】
なお、説明した通り、本発明は、前述した特定の好適な実施例に限定されず、請求の範囲で請求する本発明の要旨から逸脱しない範囲内において、当該発明が属する技術分野における通常の知識を有する者であれば、誰でも多様な変形の実施が可能である。
【符号の説明】
【００４１】
１  電源部
３  入力部
５ａ、５ｂ  第１及び第２のマイク
７  表示部
９  スピーカー
１１  通信部
２０  制御部
【図１】
2018011297.tif 000003
【図２】
2018011297.tif 000004
【図３】
2018011297.tif 000005